(57)【要約】【課題】携帯型テレビ放送受信機において、受信感度が悪くなったときに放送内容をバックアップするシステムを提供する。【解決手段】テレビ放送受信機能付移動無線端末及びテレビ放送受信可能で且つネットワークに接続可能なセットトップボックス（ＳＴＢ）を用いて、移動無線端末におけるテレビ放送受信時の受信感度がある閾値を下回った場合で且つ移動無線端末が無線通信可能なエリアにある場合に、現在視聴中のテレビ放送をＳＴＢに録画する。【選択図】　　　　図３
2004140460.tif 000002
【特許請求の範囲】
【請求項１】
移動無線端末とＳＴＢとを有するシステムであって、
前記移動無線端末は、
テレビ放送を受信するテレビ受信手段と、
テレビチャネルの受信感度を検出する感度検出手段と、
前記受信感度に対する閾値を設定する閾値設定手段と、
前記受信感度が前記閾値を下回った場合に、前記ＳＴＢに対し記録を指示する記録指示手段と、
ネットワークに接続する接続手段とを有し、
前記ＳＴＢは、
テレビ放送を録画する録画手段と、
動作を指示する信号を受信した際に信号受信を示す受信完了信号を返す返信手段と、
ネットワークに接続する接続手段とを有することを特徴とするテレビ放送自動記録システム。
【請求項２】
前記ＳＴＢは、
記録データを前記移動無線端末に送信するデータ送信手段を有することを特徴とする請求項１記載のテレビ放送自動記録システム。
【請求項３】
請求項１記載のテレビ放送自動記録システムは、更にＥＰＧサーバと記録サーバとを有し、
前記ＥＰＧは、
前記移動無線端末と通信する移動無線端末通信手段と、
前記ＳＴＢと通信するＳＴＢ通信手段と、
前記ＳＴＢの動作を指示するコマンドを保持する動作命令保持手段と、
前記ＳＴＢにおけるテレビ放送受信の可否を知る手段と、
前記記録サーバと通信する手段とを有し、
前記記録サーバは、
テレビ放送を録画する録画手段と、
録画時間の上限を設定する終了時間設定手段と、
ネットワークと接続する接続手段と、
利用者ＩＤを確認する認証手段とを有することを特徴とする請求項１記載のテレビ放送自動記録システム。
【請求項４】
前記記録サーバは、
記録データを前記移動無線端末に送信するデータ送信手段を有することを特徴とする請求項３記載のテレビ放送自動記録システム。
【請求項５】
移動無線端末とＳＴＢとを有するシステムにおけるテレビ放送記録方法であって、
前記移動無線端末がテレビ放送を受信するステップと、
テレビチャネルの受信感度を検出するステップと、
受信感度に対する閾値と前記受信感度とを比較するステップと、
ネットワークに接続するステップと、
前記ＳＴＢに電源ＯＮ要求、テレビチャネル情報及び記録開始要求を送信するステップとを有することを特徴とするＳＴＢへのテレビ放送記録方法。
【請求項６】
前記ＳＴＢが記録データを前記移動無線端末に送信するステップを更に有する請求項５記載のＳＴＢへのテレビ放送記録方法。
【請求項７】
移動無線端末、ＳＴＢ、ＥＰＧサーバ及び記録サーバを有するシステムにおけるテレビ放送記録方法であって、
前記移動無線端末がテレビ放送を受信するステップと、
テレビチャネルの受信感度を検出するステップと、
受信感度に対する閾値と前記受信感度とを比較するステップと、
ネットワークに接続するステップと、
前記ＥＰＧサーバに利用者ＩＤとテレビチャネル情報を送るステップと、
前記ＥＰＧサーバが前記記録サーバに前記利用者ＩＤ、前記テレビチャネル情報及び記録開始要求を送るステップとを有することを特徴とする記録サーバへのテレビ放送記録方法。
【請求項８】
前記記録サーバが記録データを前記移動無線端末に送信するステップを更に有する請求項７記載の記録サーバへのテレビ放送記録方法。
【請求項９】
移動無線端末とＳＴＢとを有するシステムにおいて前記移動無線端末を、
テレビ放送電波の受信感度を検出する処理、
前記受信感度に関する閾値を保持する処理、
前記受信感度と前記閾値とを比較する処理、
受信中のテレビ放送の番組情報を保持する処理、
ネットワークに接続する処理、
前記ＳＴＢに前記番組情報を送る処理、
前記ＳＴＢにオン／オフ信号、記録開始信号および記録停止信号を送る処理、
前記ＳＴＢから記録データを受信する処理、及び、
前記ＳＴＢから受信完了信号を受信する処理、
として機能させるための移動無線端末によるＳＴＢ操作プログラム。
【請求項１０】
移動無線端末、ＳＴＢ、ＥＰＧサーバ及び記録サーバを有するシステムにおいて前記ＥＰＧサーバを、
前記ＳＴＢに電源オン／オフを操作する信号を送る処理、
前記ＳＴＢに記録開始信号と記録停止信号を送る処理、
前記ＳＴＢから位置データを受信する処理、
前記移動無線端末から位置データとテレビチャネルデータを受信する処理、
受信完了の信号を発信する処理、
前記ＳＴＢからの位置データと前記テレビチャネルデータから前記ＳＴＢがテレビ放送受信可能か判断する処理、及び、
前記テレビチャネルデータを前記ＳＴＢに送る処理、
として機能させるためのＥＰＧサーバによるＳＴＢ操作プログラム。
【請求項１１】
移動無線端末、ＳＴＢ、ＥＰＧサーバ及び記録サーバを有するシステムにおいて前記ＥＰＧサーバを、
テレビ放送を記録する記録サーバを決定する処理、
前記移動無線端末から位置データとテレビチャネルデータを受信する処理、
前記移動無線端末から利用者ＩＤを取得する処理、
前記利用者ＩＤを前記記録サーバに送る処理、
前記記録サーバに記録開始信号と記録停止信号を送る処理、及び、
前記記録サーバから受信完了信号を受信する処理、
として機能させるためのＥＰＧサーバによる記録サーバ操作プログラム。
【請求項１２】
テレビ放送を受信するテレビ受信手段と、
テレビ放送を録画する録画手段と、
録画時間の上限を設定する終了時間設定手段と、
ネットワークと接続する接続手段と、
利用者ＩＤを確認する認証手段と、
前記録画手段によって録画された情報を前記利用者ＩＤを所有する移動無線端末に配信する配信手段とを有することを特徴とする記録サーバ。
【発明の詳細な説明】
【０００１】
【発明の属する技術分野】
本発明は、移動無線端末によるテレビ放送受信において、データを受信しながら再生し、受信状況が悪化した場合には放送内容を記憶媒体に記録しバックアップするテレビ放送自動記録システム、方法、プログラム及び記録サーバに関する。
【０００２】
【従来の技術】
移動体通信における動画表示は、圧縮符号化方式にＭＰＥＧ−４を採用し、第三世代の移動通信システムで容易に行われるようになった。再生には２つの方法が考えられている。１つは移動無線端末のメモリにファイルをダウンロードしてから再生する方法である。電波の届かないところでも再生できるが、メモリの容量に依存することとダウンロードに時間がかかることに問題がある。もう１つはデータを受信しながら再生する方法（ストリーミング）である。メモリの容量に制限を受けないが、電波を受信できなければ映像を見ることができないという欠点がある。
【０００３】
ＳＴＢ（セットトップボックス）とは、テレビに接続することによって様々なサービスを享受できる機器である。ＳＴＢのインターネット接続機能に対する期待は、ブロードバンドの普及とインターネットテレビのサービス拡充によって高まってきている。
【０００４】
ＥＰＧ（Ｅｌｅｃｔｒｏｎｉｃ　Ｐｒｏｇｒａｍ　Ｇｕｉｄｅ）とは、画面で閲覧できる電子プログラムガイドのことで電子番組表とも呼ばれる。番組タイトルや開始、終了時間などの番組情報を画面で確認できる。
【０００５】
移動体通信における記録媒体を利用した映像視聴の試みを挙げる。
特許文献１は、ＩＣカード等の記録媒体にデジタルテレビジョン放送のデータを書き込み、該ＩＣカードのデータをインターネット接続時に読み込むことでインターネット上の情報サービスサイトに自動的に接続し、情報を取得するものである。
【０００６】
特許文献２は、サーバ等の録画装置に番組を録画し、該録画装置から携帯情報端末へコンテンツデータを送信することにより該携帯情報端末でデジタル放送を見る方法を示すものである。
【０００７】
特許文献３は、テレビ放送を視聴しているときに電話の発着信があり、視聴を中断する場合に、ハードディスクやＶＴＲ等の記録媒体に番組の記録を行う方法を示すものである。
【０００８】
【特許文献１】
特開２００２−１１２２０９号公報
【特許文献２】
特開２００２−０７７８３９号公報
【特許文献３】
特開２００２−０７７３２３号公報
【０００９】
【発明が解決しようとする課題】
従来型の携帯型テレビ放送受信機において、受信感度が悪い場所においては、ユーザは視聴するのを諦めるか、乱れた映像で我慢するしかないという問題点があった。
これに対し、ネットワークを介しインターネットに接続可能なテレビ放送受信機能付移動無線端末とＳＴＢ及び、ＥＰＧサーバ、記録サーバを組み合わせることにより、携帯型テレビ放送受信機特有のテレビ放送画像の乱れという問題を吸収するシステムを提供することを目的とする。
【００１０】
【課題を解決するための手段】
上記課題を解決するために、請求項１記載の発明は、移動無線端末とＳＴＢとを有するシステムであって、上記移動無線端末は、テレビ放送を受信するテレビ受信手段と、テレビチャネルの受信感度を検出する感度検出手段と、上記受信感度に対する閾値を設定する閾値設定手段と、上記受信感度が上記閾値を下回った場合に、上記ＳＴＢに対し記録を指示する記録指示手段と、ネットワークに接続する接続手段とを有し、上記ＳＴＢは、テレビ放送を録画する録画手段と、動作を指示する信号を受信した際信号受信を示す受信完了信号を返す返信手段とを有することを特徴とする。
【００１１】
請求項２記載の発明は、上記ＳＴＢは、記録データを上記移動無線端末に送信するデータ送信手段を有することを特徴とする。
【００１２】
請求項３記載の発明は、請求項１に記載のテレビ放送自動記録システムは、ＥＰＧサーバと記録サーバとを有し、上記ＥＰＧは、上記移動無線端末と通信する移動無線端末通信手段と、上記ＳＴＢと通信するＳＴＢ通信手段と、上記ＳＴＢの動作を指示するコマンドを保持する動作命令保持手段と、上記ＳＴＢにおけるテレビ放送受信の可否を知る手段と、上記記録サーバと通信する手段とを有し、上記記録サーバは、テレビ放送を録画する録画手段と、録画時間の上限を設定する終了時間設定手段と、ネットワークと接続する接続手段と、利用者ＩＤを確認する認証手段とを有することを特徴とする。
【００１３】
請求項４記載の発明は、上記記録サーバは、記録データを上記移動無線端末に送信するデータ送信手段を有することを特徴とする。
【００１４】
請求項５記載の発明は、移動無線端末とＳＴＢとを有するシステムにおけるテレビ放送記録方法であって、上記移動無線端末がテレビ放送を受信するステップと、　テレビチャネルの受信感度を検出するステップと、受信感度に対する閾値と上記受信感度とを比較するステップと、ネットワークに接続するステップと、ＳＴＢに電源ＯＮ要求、テレビチャネル情報及び記録開始要求を送信するステップとを有するＳＴＢへのテレビ放送記録方法であることを特徴とする。
【００１５】
請求項６記載の発明は、請求項５記載のテレビ放送記録方法であって、上記ＳＴＢが記録データを上記移動無線端末に送信するステップを更に有することを特徴とする。
【００１６】
請求項７記載の発明は、移動無線端末、ＳＴＢ、ＥＰＧサーバ及び記録サーバを有するシステムにおけるテレビ放送記録方法であって、上記移動無線端末がテレビ放送を受信するステップと、テレビチャネルの受信感度を検出するステップと、受信感度に対する閾値と上記受信感度とを比較するステップと、ネットワークに接続するステップと、ＥＰＧサーバに利用者ＩＤとテレビチャネル情報を送るステップと、上記ＥＰＧサーバが記録サーバに上記利用者ＩＤ、上記テレビチャネル情報及び記録開始要求を送るステップとを有する記録サーバへのテレビ放送記録方法であることを特徴とする。
【００１７】
請求項８記載の発明は、請求項７記載のテレビ放送記録方法であって、上記記録サーバが記録データを上記移動無線端末に送信するステップを更に有することを特徴とする。
【００１８】
請求項９記載の発明は、移動無線端末とＳＴＢとを有するシステムにおいて上記移動無線端末を、テレビ放送電波の受信感度を検出する処理、上記受信感度に関する閾値を保持する処理、上記受信感度と上記閾値とを比較する処理、受信中のテレビ放送の番組情報を保持する処理、ネットワークに接続する処理、上記ＳＴＢに上記番組情報を送る処理、上記ＳＴＢにオン／オフ信号、記録開始信号および記録停止信号を送る処理、上記ＳＴＢから記録データを受信する処理、及び、上記ＳＴＢから受信完了信号を受信する処理、として機能させるための移動無線端末によるＳＴＢ操作プログラムであることを特徴とする。
【００１９】
請求項１０記載の発明は、移動無線端末、ＳＴＢ、ＥＰＧサーバ及び記録サーバを有するシステムにおいて上記ＥＰＧサーバを、上記ＳＴＢに電源オン／オフを操作する信号を送る処理、上記ＳＴＢに記録開始信号と記録停止信号を送る処理、上記ＳＴＢから位置データを受信する処理、移動無線端末から位置データとテレビチャネルデータを受信する処理、受信完了の信号を発信する処理、上記ＳＴＢからの位置データと上記テレビチャネルデータから上記ＳＴＢがテレビ放送受信可能か判断する処理、及び、上記テレビチャネルデータを上記ＳＴＢに送る処理、として機能させるためのＥＰＧサーバによるＳＴＢ操作プログラムであることを特徴とする。
【００２０】
請求項１１記載の発明は、移動無線端末、ＳＴＢ、ＥＰＧサーバ及び記録サーバを有するシステムにおいて上記ＥＰＧサーバを、テレビ放送を記録する記録サーバを決定する処理、移動無線端末から位置データとテレビチャネルデータを受信する処理、上記移動無線端末から利用者ＩＤを取得する処理、上記利用者ＩＤを上記記録サーバに送る処理、上記記録サーバに記録開始信号と記録停止信号を送る処理、及び、上記記録サーバから受信完了信号を受信する処理、として機能させるためのＥＰＧサーバによる記録サーバ操作プログラムであることを特徴とする。
【００２１】
請求項１２記載の発明は、テレビ放送を受信するテレビ受信手段と、テレビ放送を録画する録画手段と、録画時間の上限を設定する終了時間設定手段と、ネットワークと接続する接続手段と、利用者ＩＤを確認する認証手段と、上記録画手段によって録画された情報を上記利用者ＩＤを所有する移動無線端末に配信する配信手段とを有する記録サーバであることを特徴とする。
【００２２】
【発明の実施の形態】
＜第一の実施例＞
以下第一の実施例における、本発明を適用可能な移動無線端末及びＳＴＢについて、図面を参照して説明する。
図１は本発明に係る移動無線端末の構成図である。
移動無線端末は無線通信を実現するアンテナ部１００、無線部１０１、放送電波を受信するためのアンテナ部１０２、受信部１０３、表示制御、メモリアクセス等各種制御を行う制御部１０４、各種マンマシンインタフェースや受信したテレビ放送データを表示する表示部１０５、プログラムやデータ記録用のメモリ部１０６、視聴したいテレビチャネルの入力等各種入力操作をするための操作部１０７からなる。
【００２３】
図２はＳＴＢの構成図である。
ＳＴＢは放送電波を受信するためのアンテナ部２００、受信部２０１、ネットワークを介して受信した各種命令を実行するための制御部２０２、テレビ放送データ記録用のメモリ部２０３、ネットワークを介しインターネットに接続するためのモデム部２０４、各種入力操作をするための操作部２０５からなる。
【００２４】
図３は本発明に係る移動無線端末の動作フローチャートであり、図４はネットワークを介した移動無線端末とＳＴＢ間のシーケンス図である。
まず本案件で特に記載している移動無線端末において、ユーザが希望するチャネルを受信し、視聴中とする（ステップ３００）。制御部１０４は一定間隔で受信感度をモニタし（ステップ３０１）、受信感度が閾値（任意）を下回ると（ステップ３０２／ＹＥＳ）、制御部は一定間隔でモニタしている電界レベルより（ステップ３０３）、無線通信可能であると判断すれば（ステップ３０４／ＹＥＳ）、ネットワークを介しインターネットに接続する（ステップ３０５）。
【００２５】
一方、受信感度が閾値を上回っていれば（ステップ３０２／ＮＯ）、テレビ放送を受信し続ける。また、無線通信できないと判断した場合（ステップ３０４／ＮＯ）は、インターネットに接続できず、テレビ放送電波の受信状況が回復したかを確認する。
【００２６】
そして移動無線端末からＳＴＢに対し「ＳＴＢ電源ＯＮ要求」を送信する（ステップ３０６、４０１）。移動無線端末はＳＴＢからの「受信完了信号」を受信したら（４０２）、次にＳＴＢに対し「テレビチャネル受信要求」を送信する（ステップ３０７、４０３）。移動無線端末はＳＴＢからの「受信完了信号」を受信したら（４０４）、次に「記録開始要求」を送信し（ステップ３０８、４０５）、移動無線端末がＳＴＢからの「受信完了信号」を受信したら（４０６）、ネットワークから回線を切断する（ステップ３０９）。
【００２７】
記録開始後、検出した受信感度が（ステップ３１０）閾値を上回ると（ステップ３１１／ＹＥＳ）、制御部は一定間隔でモニタしている電界レベルより（ステップ３１２）、無線通信可能であると判断すれば（ステップ３１３／ＹＥＳ）、再度ネットワークを介しインターネットに接続する（ステップ３１４）。
【００２８】
一方、受信感度が閾値を上回らない場合（ステップ３１１／ＮＯ）は、ＳＴＢで録画を続ける。また、受信感度が閾値を上回り、かつ、無線通信ができないと判断した場合（ステップ３１３／ＮＯ）は、ＳＴＢで録画を続けるが移動無線端末で視聴可能な状態である。
【００２９】
そして移動無線端末からＳＴＢに対し「記録停止要求」を送信する（ステップ３１５、４０７）。移動無線端末はＳＴＢからの「受信完了信号」を受信すると（４０８）、次に「ＳＴＢ電源ＯＦＦ要求」を送信し（ステップ３１６、４０９）、移動無線端末がＳＴＢからの「受信完了信号」を受信すると（４１０）、ネットワークから回線を切断する（ステップ３１７）。
【００３０】
図５は本発明のイメージ図である。テレビ放送を受信できる範囲から受信できない範囲へ移動した場合に、携帯電話は基地局を介してインターネットに接続し、ＳＴＢと通信する。
【００３１】
以上のような構成からなる本発明によれば、特に図１に記載する移動無線端末において、テレビ放送視聴中に受信感度が視聴に耐えうる閾値を下回った場合で且つ移動無線端末が無線通信可能なエリアにあれば、現在視聴中のテレビ放送が自動的にＳＴＢに記録される為、受信感度の問題により一時的に視聴不可となるといった状況が生じたとしても後ほどＳＴＢに記録されているテレビ放送データを再生することにより、特定のシーンを見逃すことが少なくなる。
【００３２】
＜第二の実施例＞
第二の実施例を図６のフローチャートを用いて説明する。
ステップ３００からステップ３０８までは第一の実施例と同じである。すなわち、テレビ放送を受信中に受信感度が閾値を下回り、且つ無線通信可能である場合に、移動無線端末はＳＴＢに「記録開始要求」等を送信する。
ＳＴＢから随時送信されてくるテレビ放送データを移動無線端末が受信し（ステップ６００）、制御部によってデコード、再生する（ステップ６０１）。同時に制御部により一定間隔でモニタしている受信感度が（ステップ６０２）、閾値（任意）を上回り（ステップ６０３／ＹＥＳ）且つ、一定間隔でモニタしている電界レベルより（ステップ６０４）、無線通信可能であると判断すれば（ステップ６０５／ＹＥＳ）、ＳＴＢに対し「記録停止要求」を送信するとともに（ステップ６０６）、テレビチャネルを受信する（ステップ６０７）。
【００３３】
受信感度が閾値を下回った場合（ステップ６０３／ＮＯ）で、電界レベルが無線通信可能な状態を保っていれば（ステップ６０８／ＹＥＳ）、インターネットを介してＳＴＢからテレビ放送データを受信し続ける。無線通信不可能な状況になれば（ステップ６０８／ＮＯ）、移動無線端末では何も見ることができないが、ＳＴＢで録画が続けられている状態である。この場合、録画の長さは最長で録画中の番組の終了までなどと設定することにより、移動無線端末と通信できない状態になったとしても録画は終了される。
【００３４】
移動無線端末は先に送信した「記録停止要求」に対する、ＳＴＢから送信された「受信完了信号」を受信すると次に「ＳＴＢ電源ＯＦＦ要求」を送信し（ステップ３１６）、移動無線端末がＳＴＢから送信された「受信完了信号」を受信するとネットワークから回線を切断する（ステップ３１７）。
これにより、受信電波が弱まった場合でも、ＳＴＢへ記録を行い、移動無線端末で順次再生することができる。
【００３５】
＜第三の実施例＞
図７、９は第三の実施例に係るシーケンス図である。
移動無線端末でテレビ放送を受信中に受信感度が閾値を下回った場合で、且つ無線通信可能ならば移動無線端末からインターネットに接続する（ステップ３００からステップ３０５に同じ）。
【００３６】
ここで移動無線端末はネットワークに接続されたＥＰＧサーバに位置データを送信する（７００）。移動無線端末における位置データの取得方法としては移動無線端末が位置登録している基地局の位置データやＧＰＳを利用した測位等既知の技術を用いる。
【００３７】
移動無線端末はＥＰＧサーバからの「受信完了信号」を受信したら次にＥＰＧサーバに対し「チャネルデータ」を送信する（７０１）。また、ＥＰＧサーバはＳＴＢに対し「ＳＴＢ電源ＯＮ要求」を送信し（７０２）、ＳＴＢからの「受信完了信号」を受信したら「位置データ送信要求」を送信する（７０３）。ここで述べているチャネルデータとは移動無線端末で現在受信しているテレビチャネルのことである。
【００３８】
ＥＰＧサーバは移動無線端末の位置データ、チャネルデータ、ＳＴＢの位置データをもとにＳＴＢが移動無線端末で現在受信している同番組を受信可能か否かを判断し（７０４）、受信可能であればＥＰＧサーバからＳＴＢに「チャネル受信要求」を送信し（７０５）、ＳＴＢからの「受信完了信号」を受信したら「記録開始要求」を送信する（７０６）。
録画終了のシーケンスは第五の実施例にて説明する。
【００３９】
受信不可と判断された場合はＥＰＧサーバからＳＴＢに「ＳＴＢ電源ＯＦＦ要求」を送信する（９００）。さらにＥＰＧサーバは同番組が受信可能な記録サーバに対して「テレビチャネル受信要求」を送信し（９０１）、記録サーバからの「受信完了信号」を受信したら「記録開始要求」を送信する（９０２）。
録画終了のシーケンスは第六の実施例にて説明する。
【００４０】
図１１は本発明のイメージ図である。インターネットを介して移動無線端末、ＳＴＢ、記録サーバ、ＥＰＧサーバが信号の送受信を行う様子を示している。
【００４１】
これにより、ユーザはデータの記録先を意識することなく、電波の届かない場所でも情報を記録し、所望の情報を見逃すことが無くなる。
【００４２】
＜第四の実施例＞
第四の実施例を図１、２を用いて説明する。ここではハードウェア利用の観点から移動無線端末の動作を説明する。
アンテナ部１０２、受信部１０３でテレビ放送電波を受信し、メモリ部１０６に保持された閾値と受信感度とを制御部１０４で定期的に比較する。受信中のテレビ放送の番組情報は、メモリ部１０６に保持する。受信感度が閾値を下回ったら、制御部１０４はインターネットに接続する手続きを行い、メモリ部１０６へＳＴＢのアドレスを参照し、番組情報と動作命令をＳＴＢに送信する。
【００４３】
ＳＴＢはモデム２０４を通して番組情報と動作命令を受け取り、制御部２０２で命令を実行し、メモリ部１０６にテレビ放送を記録する。また信号を受信した機器は受信完了信号を送信する。
これにより、あたかもＳＴＢが移動無線端末のメモリのように振舞い、移動無線端末で受信できなかった放送を記録してくれる。
【００４４】
＜第五の実施例＞
第五の実施例を図２、８及び１１を用いて説明する。ここではハードウェア利用の観点からＥＰＧサーバの動作を説明する。
ＥＰＧサーバは移動無線端末から位置データとチャネルデータを受け取る。それからＳＴＢに電源ＯＮ要求の信号を送り、位置データを要求する。ＳＴＢはメモリ部２０３から位置データを取り出し、ＥＰＧサーバへ送信する。ＥＰＧサーバは位置データを受信した後、チャネルデータから番組情報を引き出し、ＳＴＢに送信する。ＳＴＢは番組情報を受信し、メモリ部２０３に格納する。そしてＥＰＧサーバは記録開始の命令をＳＴＢに送り、これを受信したＳＴＢは制御部２０２の制御下で、メモリ部２０３に保持している番組情報を参照して録画を開始する。
【００４５】
移動無線端末は制御部１０４でテレビ放送受信状態が良好になったと判定すると、ＥＰＧサーバにＳＴＢへ記録停止要求を発するように命じる（８００）。ＥＰＧサーバはＳＴＢへ記録停止要求を発信する（８０１）。移動無線端末はＥＰＧサーバと共に受信完了信号を受信すると、ＥＰＧサーバへＳＴＢ電源をＯＦＦにするよう命ずる（８０２）。ＥＰＧサーバはＳＴＢへＳＴＢ電源ＯＦＦ要求を送信し（８０３）、ＳＴＢの電源をＯＦＦにする。
尚信号を受信した機器は受信完了信号の送信を行う。
これにより、移動無線端末でテレビ放送を受信できない場合でも、ＥＰＧサーバのサービスを利用しながらＳＴＢへ記録を行うことができる。
【００４６】
＜第六の実施例＞
以下図１０、１１を用いて、ＥＰＧサーバが記録サーバにテレビ放送の記録を指示する動作を説明する。
ＥＰＧサーバは、移動無線端末から受け取った位置データとテレビチャネルデータからユーザが録画を希望するテレビ放送を受信するのに適切な記録サーバを探す。見つけたら記録サーバに対してユーザのＩＤを送り、利用許可を待つ。利用許可が出たら記録サーバへ番組に関するデータと記録開始要求を送り、記録を開始させる。
【００４７】
移動無線端末でテレビ放送受信が可能になれば、移動無線端末はＥＰＧサーバに録画を停止するよう命令を出す（１００１）。命令を受けたＥＰＧサーバは記録サーバに対し記録停止要求を送信し（１００２）、記録サーバに記録を停止させる。
尚信号を受信した際には受信完了信号の送受信を行う。
これにより、ＳＴＢが所望するテレビ放送を受信できない場合でも、ＥＰＧサーバの管理下で記録サーバを探し出し、記録を行うことができる。
【００４８】
【発明の効果】
以上説明したように、請求項１、５及び９に記載の発明によれば、テレビ放送受信中に何らかの障害により受信感度が悪化した場合でも、インターネットに接続し、ＳＴＢに録画を指示することでバックアップシステムを構築し、視聴を希望するコンテンツを見逃すことが無くなる。
【００４９】
請求項２と６に記載の発明によれば、受信感度が悪化したことにより見ることができなかった部分をＳＴＢから順次受信することで、視聴を希望していた情報全体に目を通すことができる。
【００５０】
請求項３と７に記載の発明によれば、ＳＴＢが受信できない番組でも、その番組を受信可能な記録サーバを探して録画することにより、二重のバックアップシステムを有し、電波障害に強いシステムを構築することができる。
【００５１】
請求項４と８に記載の発明によれば、受信感度が悪化したことによりテレビ放送の中で見ることができない部分があった場合でも、該箇所を記録させる場所を意識することなく、視聴を希望していた情報全体に目を通すことができる。
【００５２】
請求項１０記載の発明によれば、ＥＰＧサーバからＳＴＢの動作を操作することで、ＥＰＧサーバのサービスを利用しながらＳＴＢに記録を行うことができる。
【００５３】
請求項１１記載の発明によれば、ユーザはデータ記録先の記録サーバの存在を気にすることなく、ＥＰＧサーバの管理下で、ＥＰＧサーバのサービスを利用しながら記録を行うことができる。
【００５４】
請求項１２記載の発明によれば、記録サーバに記録された情報がインターネットを介して移動無線端末に送信されて来るので、利用者は記録サーバのアドレスを入手してダウンロードを指示する手間を気にすることなく、欲していた情報を手にすることができる。
【図面の簡単な説明】
【図１】移動端末無線本体の構成図である。
【図２】ＳＴＢ（セットトップボックス）本体の構成図である。
【図３】第一の実施例の動作フローチャートである。
【図４】第一の実施例のシーケンス図である。
【図５】第一の実施例のイメージ図である。
【図６】第二の実施例の動作フローチャートである。
【図７】第三の実施例において、ＳＴＢに記録を行う場合のシーケンス図である。
【図８】ＳＴＢに記録を終了させるシーケンス図である。
【図９】第三の実施例において、記録サーバに記録を行う場合のシーケンス図である。
【図１０】記録サーバに記録を終了させるシーケンス図である。
【図１１】第三の実施例のイメージ図である。
【符号の説明】
１０１　無線部
１０３　受信部
１０４　制御部
１０５　表示部
１０６　メモリ部
１０７　操作部
２０１　受信部
２０２　制御部
２０３　メモリ部
２０４　モデム部
２０５　操作部
【図１】
2004140460.tif 000003
【図２】
2004140460.tif 000004
【図３】
2004140460.tif 000005
【図４】
2004140460.tif 000006
【図５】
2004140460.tif 000007
【図６】
2004140460.tif 000008
【図７】
2004140460.tif 000009
【図８】
2004140460.tif 000010
【図９】
2004140460.tif 000011
【図１０】
2004140460.tif 000012
【図１１】
2004140460.tif 000013